(57)【要約】【課題】  印面の加工が容易で、平面や凹凸面や曲面など様々な被捺印面に対して腹付きが防止でき、鮮明な印影を得ることができる印判であって、更に、できるだけ多くの人が利用可能であるようにデザインした印判を提供する。【解決手段】  インキの滲み出し部と非滲み出し部によって印面を形成した厚さ０．０５ｍｍ〜２．０ｍｍの連続気泡を有する多孔質熱可塑性樹脂からなる印字体を、略球状軟質体からなるグリップに保持させた印判を提供する。特に、グリップの素材はゲル状軟質体が好ましい。【選択図】      図１
2006007567.tif 000002
【特許請求の範囲】
【請求項１】
厚さ０．０５ｍｍ〜２．０ｍｍの連続気泡を有する多孔質熱可塑性樹脂からなる印字体を、略球状軟質体からなるグリップに保持させた印判。
【請求項２】
グリップの素材が、ゲル状軟質体である請求項１の印判。
【発明の詳細な説明】
【技術分野】
【０００１】
本発明は、連続気泡を有する多孔質熱可塑性樹脂からなる印字体をグリップに保持させた印判に関し、特に「ユニバーサルデザイン」の考え方を導入した印判に関する。
【背景技術】
【０００２】
熱可塑性樹脂を印字体として使用した印判は、特開平１０−１１４１３２号などをはじめとして多くの出願が知られている。しかし、これらの印判は、印字体が平らであるので、凹凸面や曲面などの被捺印面への捺印には不向きであった。
そこで、凹凸面や曲面などの被捺印面に捺印することができる印字体を湾曲させた印判として、特開平１１−０９１２１９号などが知られている。しかし、多孔質ゴムを使用した印字体では、文字等を凸状に形成してなる印字部以外の余白部分（非印字部）が、被捺印面に当接してしまって、余白部分をインキで汚すいわゆる腹付きと呼ばれる現象が生じ、鮮明な印影を得ることができなかった。
【０００３】
一方、近年、障害の有無、年齢、性別、国籍、人種等にかかわらず多様な人々が気持ちよく使えるようにあらかじめ配慮された設計、デザイン、使用方法を提案するという「ユニバーサルデザイン」の考え方が導入されつつあり、誰でも容易に使用できることや使用上自由度の高いことなどが求められているが、従来の印判はこのような問題に関して考慮されてこなかった。
【０００４】
【特許文献１】特開平１０−１１４１３２号公報
【特許文献２】特開平１１−０９１２１９号公報
【発明の開示】
【発明が解決しようとする課題】
【０００５】
そこで、印面の加工が容易で、平面や凹凸面や曲面など様々な被捺印面に対して腹付きが防止でき、鮮明な印影を得ることができる印判であって、更に、できるだけ多くの人が利用可能であるようにデザインした印判を提供する。
【課題を解決するための手段】
【０００６】
前記課題を解決するために、インキの滲み出し部と非滲み出し部によって印面を形成した厚さ０．０５ｍｍ〜２．０ｍｍの連続気泡を有する多孔質熱可塑性樹脂からなる印字体を、略球状軟質体からなるグリップに保持させた印判を提供する。特に、グリップの素材はゲル状軟質体が好ましい。
【発明の効果】
【０００７】
本発明の印判は、連続気泡を有する多孔質熱可塑性樹脂を印材として用い、文字部分をインキの滲み出し部に、そして余白部分をインキの非滲み出し部にして印面を形成したので、被捺印面に対しては文字部分のみからインキが滲み出すことになって余白部分を汚さないので、いわゆる腹付き現象を防止できる。
また、厚さ０．０５ｍｍ〜２．０ｍｍの薄型印字体を略球状軟質体からなるグリップに保持させてあるので、印字体は略球の表面に沿って略球状凸形に変形し、全体的に略球状の印判が得られる。本発明の印判は、印字体が略球状凸形であることと変形容易な軟質体グリップであることによって、被捺印面が平面のものばかりでなく、凹凸面や曲面など様々な被捺印面に対して、捺印ミスのない鮮明な印影を得ることができる。
更に、グリップが握り易くかつ変形容易な略球状軟質体であるので、障害の有無、年齢、性別等にかかわらず多くの人が利用可能である。
【発明を実施するための最良の形態】
【０００８】
本発明は、グリップに印字体を保持させてなる印判であり、以下本発明を詳細に説明する。
本発明に用いる印字体は、シート状の連続気泡を有する多孔質熱可塑性樹脂であって、シート厚０．０５ｍｍ〜２．０ｍｍである印材を、文字部分をインキの滲み出し部に、そして余白部分をインキの非滲み出し部にして印面を形成した印字体である。
当該印字体の印面を形成する方法としては、ポジフィルムやネガフィルムを介して赤外線を照射し余白部分を溶融閉塞する方法、プリンターなどのサーマルヘッドを用いて余白部分を溶融閉塞する方法、加熱した文字等を彫刻した金型に直接押し付けて余白部分を溶融閉塞する方法などを用いることができる。余白部分をインキの非滲み出し部とすることで、余白部分を汚すことがなく、いわゆる腹付き現象を防止する。
また、当該印字体は厚さ０．０５ｍｍ〜２．０ｍｍとする。後述する略球状のグリップに保持させた際、シワなどを生じさせずにグリップの形状に沿うよう薄型印字体とする必要があるからであって、０．０５ｍｍより薄いものは十分な強度が得られないし、２．０ｍｍより厚いものはシワが寄ったり、グリップとの間に隙間が生じたりするので好ましくない。また、気泡径は１〜１００μｍ、気泡率は４０〜９５％、硬度はスプリング硬さ６０〜９５（スプリング式硬さ試験Ｃ型硬度計の測定値）の範囲の印字体が好ましく用いられる。
【０００９】
本発明に用いるグリップには軟質体が用いられる。具体的には、フッ素ゴム、ニトリルゴム、ブチルゴム、エチレンゴム、クロロプレンゴム、シリコーンゴム、天然ゴムなどゴムの非多孔質体や多孔質体、ポリエチレン系熱可塑性エラストマー、ポリプロピレン系熱可塑性エラストマー、ポリブチレン系熱可塑性エラストマー、ポリウレタン系熱可塑性エラストマー、ポリスチレン系熱可塑性エラストマー、ポリジエン系熱可塑性エラストマー、ポリ塩化物系熱可塑性エラストマーなど熱可塑性樹脂エラストマーの非多孔質体、ポリエチレンフォーム、ポリプロピレンフォーム、ポリブチレンフォーム、ポリウレタンフォーム、ポリスチレンフォーム、ポリ塩化ビニルフォーム、ポリエステルフォーム、ポリカーボネートフォーム、ポリエチレン系熱可塑性エラストマーフォーム、ポリプロピレン系熱可塑性エラストマーフォーム、ポリブチレン系熱可塑性エラストマーフォーム、ポリウレタン系熱可塑性エラストマーフォーム、ポリスチレン系熱可塑性エラストマーフォーム、ポリジエン系熱可塑性エラストマーフォーム、ポリ塩化物系熱可塑性エラストマーフォームなどプラスチックの多孔質体などを用いることができる。
その中でも特に、グリップの素材としては、ゲル状軟質材が好ましく、シリコーンを主原料とした非常に柔らかいゲル状軟質材であるアルファゲル、ベータゲル、シータゲル、NPゲル（以上、株式会社ジェルテック製）や、合成ゴムに植物性油を大量に練りこんでゲル状軟質材としたものや、ポリエチレンゲル、ポリウレタンゲルなどが好ましい。手にフィットし、ユニバーサルデザインを実現するからである。
また、当該グリップは略球状のものを用いる。手にフィットし易い形状であると共に、容易に変形可能な形状だからである。
【００１０】
本発明の印判は、前記グリップに前記印字体を保持させてなるものである。保持方法としては、グリップと印字体との融着や、接着剤による接着や、別途用意した保持部材による嵌合固定などの方法が取られる。
【実施例】
【００１１】
本発明の実施例を図示する。
１は、ポリエーテル系のポリウレタンゲルを用いた直径６ｃｍの略球状グリップである。２は、厚さ１．０ｍｍの連続気泡を有する多孔質ポリエチレンからなる印字体であって、文字部分をインキの滲み出し部３に、余白部分をインキの非滲み出し部４にして印面を形成してある。グリップ１と印字体２は接着剤にて接着保持されており、印字体２はグリップ１の表面に沿って略球状凸形に変形している。印字体２の印面から油性インキを滴下含浸させると、図１にあるような全体的に略球体形状の印判となる。
当該印判は、多孔質部分がインキ滲み出し部となって文字等の印影をあらわし、余白部分は多孔質部分が溶融閉塞してインキ非滲み出し部となるので、腹付きを防止できた。また、印字体が略球状凸形であり、グリップが変形容易なので、非捺印面がフラット面はもちろんそれ以外の凹凸面などの被捺印面に対しても均一な押圧力が作用し、捺印ミスのない鮮明な印影を得ることができた。更に、グリップが握り易くかつ変形容易であるので、障害の有無、年齢、性別等にかかわらず多くの人が利用可能であった。
図２は本実施例の印判を筒状スタンドに静置した状態の断面図である。印字体が密閉状態になるので、揮発性のインキを含浸させることも可能である。
【図面の簡単な説明】
【００１２】
【図１】本発明の実施例
【図２】実施例を筒状スタンドに静置した状態図
【符号の説明】
【００１３】
１  グリップ
２  印字体
３  滲み出し部
４  非滲み出し部
【図１】
2006007567.tif 000003
【図２】
2006007567.tif 000004